(57)【要約】【課題】首輪などのリングが係止ピンの操作部に係合し、操作部をスプリングの付勢力に抗して引き下げることを防止する。【解決手段】係留具本体２と、係留具本体２に摺動自在に嵌挿された係止ピン３と、係留具本体２に配設されて係留具本体２の開口２ａを閉鎖する方向に係止ピン３を付勢するスプリングとから構成され、動物の首輪などに取り付けたリングＲに着脱自在に係止可能な動物用係留具において、係止ピン３の操作部３４が、係留具本体２の基部２１正面側に形成されたスリット２１ｃを通してその表面に沿って配置されるとともに、係止ピン３のピン部３１がスプリングの付勢力により係留具本体２のフック部２２に当接して開口２ａを閉鎖する位置にあるとき、係留具本体２の基部２１上端面よりも下方に配置される。【選択図】  図１
2008099630.tif 000002
【特許請求の範囲】
【請求項１】
基部にフック部を一体に設けた係留具本体と、ピン部に連結部を介して操作部を一体に設けて係留具本体の基部に摺動自在に嵌挿された係止ピンと、係留具本体の基部に配設されて係留具本体の基部とフック部先端との間に形成される開口を閉鎖する方向に係止ピンを付勢するスプリングとから構成され、動物の首輪などに取り付けたリングに着脱自在に係止可能な動物用係留具において、係止ピンの操作部が、係留具本体の基部正面側に形成されたスリットを通してその表面に沿って配置されるとともに、係止ピンのピン部がスプリングの付勢力により係留具本体のフック部に当接して開口を閉鎖する位置にあるとき、係留具本体の基部上端面よりも下方に配置されることを特徴とする動物用係留具。
【請求項２】
前記係留具本体の基部正面側に段差部が形成され、係止ピンの操作部が段差部の表面に沿って配置されることを特徴とする請求項１記載の動物用係留具。
【請求項３】
前記係留具本体の基部の段差部の高さが係止ピンの操作部の厚みと略同一であり、かつ、段差部に、操作部の幅に相当する間隔をおいて操作部の厚みよりも高さの低いガイドが形成されることを特徴とする請求項２記載の動物用係留具。
【発明の詳細な説明】
【技術分野】
【０００１】
この発明は、主として犬や猫などの動物の首輪、胴ベルトなどに取り付けられるリングに着脱自在に連結される動物用係留具に関するものである。
【背景技術】
【０００２】
一般に、犬や猫などの愛玩動物を係留するチェーンやリードには、先端に係留具が設けられており、この係留具を、動物の首輪などに取り付けたＤ環と称されるリングに係止し、動物を散歩させるようにしている。
【０００３】
このような係留具１００としては、図５に示すように、フック部１０２を有する係留具本体１０１と、係留具本体１０１に摺動自在に嵌挿されたピン部１０４を有する係止ピン１０３と、係止ピン１０３を係留具本体１０１の開口１０１ａを閉鎖する方向に付勢するスプリング（図示せず）とから構成されている。そして、係留具本体１０１の側面側にスリット１０１ｘを形成するとともに、スリット１０１ｘを通して係止ピン１０３と一体の操作部１０５を係留具本体１０１の側面側に配置し、操作部１０５を指などによってスプリングの付勢力に抗して引き下げ操作することにより、係止ピン１０３を引き下げて係留具本体１０１の開口１０１ａを開放し、その開口１０１ａを通して首輪などのリングＲに係留具１００を係止し、あるいは、首輪などのリングＲから係留具１００を離脱するようにしている（例えば、特許文献１，２参照）。
【特許文献１】特開昭６２−２８８７１１号公報
【特許文献２】特開２００２−３１５４６４号公報
【発明の開示】
【発明が解決しようとする課題】
【０００４】
ところで、前述した動物用係留具を動物に取り付けた首輪などのリングに係止した際において、動物が寝転んでじゃれたり、暴れたりすると、意図することなく首輪などのリングが係留具から離脱し、係留していた動物が逃げ出すことがあった。何故リングが係留具から離脱するのか、詳細な理由は不明であるが、概略次のように考えられる。
【０００５】
係留具がリングを係止した場合において、リングは、係留具本体のフック部および係止ピンのピン部に沿って周方向に移動可能であるとともに、内外方向に移動可能である他、フック部およびピン部の回りに回転可能であり、さらに、フック部およびピン部の軸線に対してその周方向の任意の位置において傾斜可能となっている。このため、図５に示すように、動物が寝転んでじゃれたり、暴れたりした際に、係留具本体の側面側に配置された操作部にリングが係合し、両者が係合した状態で、こじりなどの何らかの理由でリングが係留具本体の開口を開放する方向である下方に移動するとき、操作部を介してピン部が同方向に移動されて開口が開放され、開放された開口を通してリングが離脱すると考えられる。
【０００６】
本発明は、このような問題点に鑑みてなされたもので、首輪などのリングが係止ピンの操作部に係合し、操作部をスプリングの付勢力に抗して引き下げることを防止し、もって、意図することなく係留具本体の開口が形成されてリングが離脱し、動物が不用意に逃げ出すのを防止することのできる動物用係留具を提供するものである。
【課題を解決するための手段】
【０００７】
本発明は、基部にフック部を一体に設けた係留具本体と、ピン部に連結部を介して操作部を一体に設けて係留具本体の基部に摺動自在に嵌挿された係止ピンと、係留具本体の基部に配設されて係留具本体の基部とフック部先端との間に形成される開口を閉鎖する方向に係止ピンを付勢するスプリングとから構成され、動物の首輪などに取り付けたリングに着脱自在に係止可能な動物用係留具において、係止ピンの操作部が、係留具本体の基部正面側に形成されたスリットを通してその表面に沿って配置されるとともに、係止ピンのピン部がスプリングの付勢力により係留具本体のフック部に当接して開口を閉鎖する位置にあるとき、係留具本体の基部上端面よりも下方に配置されることを特徴とするものである。
【０００８】
本発明によれば、係止ピンの操作部は、係留具本体の基部正面側に配置されるとともに、係留具本体の基部上端面よりも下方に配置されることにより、動物に取り付けた首輪などのリングに係留具を係止した際において、リングが係留具本体のフック部および係止ピンのピン部に対して移動し、回転し、あるいは、傾斜したとしても、リングが操作部に係合することが可及的に防止される。仮に、リングがピン部あるいはフック部に対して傾斜し、係留具本体の基部上端縁と、ピン部あるいはフック部にわたって接触した状態において、リングの一部が操作部の端縁に係合したとしても、リングは、その傾斜状態を維持して下降することはできず、操作部を引き下げることはない。
【０００９】
この結果、首輪などのリングが係止ピンの操作部に係合することを可及的に防止することができるとともに、仮にリングが操作部に係合したとしても、その係合状態を維持して下降することを確実に防止できることから、意図することなく開口が形成されてリングが離脱し、動物が不用意に逃げ出すのを防止することができる。
【００１０】
本発明において、前記係留具本体の基部正面側に段差部が形成され、係止ピンの操作部が段差部の表面に沿って配置されることが好ましい。これにより、係留具本体の基部正面側への操作部の突出が抑えられ、リングとの係合がさらに防止される。
【００１１】
本発明において、前記係留具本体の基部の段差部の高さが係止ピンの操作部の厚みと略同一であり、かつ、段差部に、操作部の幅に相当する間隔をおいて操作部の厚みよりも高さの低いガイドが形成されることが好ましい。これにより、操作部は、その表面が係留具本体の表面と略面一の状態でガイドに沿って摺動することから、係留具本体の基部正面側への操作部の突出が抑えられるとともに、操作部の横ぶれを防止することができる。また、ガイドが操作部の表面よりも低く形成されているため、操作部を操作する際において、操作部との接触が阻害されることもない。
【発明の効果】
【００１２】
本発明によれば、首輪などのリングが係止ピンの操作部に係合し、操作部をスプリングの付勢力に抗して引き下げることを防止し、もって、意図することなく係留具本体の開口が形成されてリングが離脱し、動物が不用意に逃げ出すのを防止することができる。
【発明を実施するための最良の形態】
【００１３】
以下、本発明の実施の形態を図面に基づいて説明する。
【００１４】
図１および図２には、本発明の動物用係留具１の一実施形態が示されている。
【００１５】
この係留具１は、開口２ａを有する係留具本体２と、係留具本体２に摺動自在に嵌挿された係止ピン３と、係留具本体２の開口２ａを閉鎖する方向に係止ピン３を付勢するスプリング４と、係留具本体２に連結されてリードなどと連結可能な係止環５とから構成され、スプリング４を除く係留具本体２、係止ピン３および係止環５は、金属、例えば、亜鉛合金から形成されている。
【００１６】
係留具本体２は、図３にも示すように、横断面が略長円形状の基部２１と、基部２１の上端面に一体に形成されたフック部２２と、基部２１の下端に一体に形成された軸部２３と、からなり、基部２１の上端面とフック部２２の先端との間に開口２ａが形成され、この開口２ａを通して動物の首輪などに取り付けられたリングＲ（図４参照）を挿入し、あるいは、離脱させることができる。そして、係留具本体２の基部２１には、フック部２２の先端を臨む側の左右方向一半部において、スプリング４を配設するとともに、係止ピン３を摺動自在に案内する横断面略弾丸状のガイド溝２１ａが上下方向に形成され、また、ガイド溝２１ａに連続して横断面略方形状のガイド溝２１ｂが上下方向に形成され、さらに、ガイド溝２１ｂに連通してスリット２１ｃが正面側の左右方向略中間部に開口して上下方向に形成されている。また、係留具本体２の基部２１には、ガイド溝２１ａ、２１ｂが形成された側とは反対側の左右方向他半部において、正面および背面に左右方向一半部の正面および背面よりも表面が一段と低くなった段差部２１１が形成されるとともに、その端縁部近傍に位置して正面側の段差部２１１を区画するガイド２１２が段差部２１１の高さを越えない範囲に突出して形成されている。さらに、基部２１の上端面は、ガイド溝２１ａが形成された一端側からフック部２２の基端部が連続する他端側にかけて上り勾配の傾斜面２１３に形成されている。
【００１７】
ここで、ガイド溝２１ａ，２１ｂおよびスリット２１ｃは、スプリング４を配設した状態での係止ピン３の昇降ストロークに対応して深さが設定されている。すなわち、ガイド溝２１ａは、ガイド溝２１ｂに比較して、スプリング４を配設する分深く形成されている。
【００１８】
また、基部２１の段差部２１１は、後述する係止ピン３の操作部３３の厚みに略一致するように高さが設定され、また、ガイド２１２は、操作部３３の幅に対応する位置において操作部３３の厚みよりも低く形成されている。
【００１９】
なお、係留具本体２の軸部２３には、リードなどに設けた係止環５が回転自在に連結されている。
【００２０】
係止ピン３は、横断面略弾丸形状のピン部３１と、ピン部３１の側方下半部に一体に形成された横断面方形状の連結部３２と、連結部３２の上方に接続片３３を介して一体に形成される薄板状の操作部３４と、からなり、前述した係留具本体２の基部２１に形成されたガイド溝２１ａ，２１ｂ，スリット２１ｃおよび段差部２１１に対応して形成されている。すなわち、係止ピン３のピン部３１および連結部３２を係留具本体２における基部２１のガイド溝２１ａ，２１ｂに嵌挿した際、連結部３２と一体に設けられた操作部３４の接続片３３がスリット２１ｃに嵌挿されるとともに、操作部３４が基部２１のガイド２１２によって区画された段差部２１１の表面に略接触して配置されるものである。そして、係止ピン３がスプリング４の付勢力によって上方に押し上げられてピン部３１の先端面がフック部２２の先端面に当接し、係留具本体２の開口２ａを閉鎖するとき、操作部３４は、係留具本体２における基部２１の上端面から下方に離隔して段差部２１１に配置される。
【００２１】
なお、係止ピン３におけるピン部３１の上端面は、係留具本体２のフック部２２の先端面に面接触する傾斜面に形成されている。すなわち、ピン部３１の上端面は、前述した係留具本体２における基部２１の上端面とほぼ平行な傾斜面に形成されており、このピン部３１の傾斜面と面接触するように、フック部２２の先端面が同角度の傾斜面に形成されている。
【００２２】
また、操作部３４の表面には、複数本の突起３４１などによる抵抗部が形成されており、操作部３４を指先にて引き下げる際、滑りを発生させることなく操作部３４を確実に操作することができる。
【００２３】
次にこのように構成された係留具１の作動について説明する。
【００２４】
まず、動物の散歩などにおいて、指先を係止ピン３の操作部３４にあてがい、スプリング４の付勢力に抗して操作部３４、すなわち、係止ピン３を引き下げ、係留具本体２の開口２ａを開放する。この際、操作部３４は、係留具本体２の基部２１に形成された段差部２１１の表面に接触しつつ、ガイド２１２に案内されて摺動するため、係止ピン３を横ぶれすることなく安定して引き下げ操作することができる。
【００２５】
次いで、開放された係留具本体２の開口２ａを通して動物の首輪に取り付けられたリングＲをフック部２２の内方に配置した後、操作部３４から指先を離せば、係止ピン３はスプリング４の付勢力によって押し上げられ、フック部２２の先端面にピン部３１の先端面が面接触し、係留具本体２の開口２ａを閉鎖する。
【００２６】
これにより、動物に装着された首輪のリングＲに係留具１を係止することができ、また、係留具１の係止環５にリードなどが連結されることにより、飼い主は、リードなどを把握して動物を散歩させることができる。
【００２７】
ここで、動物が飼い主よりも先行し、リードなどを牽引するときには、リングＲは係留具１のフック部２２の上部と係合し、係留具１から外れることはない。
【００２８】
一方、このような散歩の過程において、動物が寝転んでじゃれたり、暴れたりすることにより、リングＲが、係止ピン３のピン部３１あるいは係留具本体２のフック部２２に沿って移動し、ピン部３１と基部２１とで形成される下隅角部に達し、下方に向けて垂れ下がったとしても、係止ピン３の操作部３４は、基部２１の左右方向の略中間部に配置され、しかも、基部２１の上端縁から離れた下方に配置されているため、リングＲと係合することはない。また、リングＲがピン部３１と基部２１との下隅角部に係合した状態から、ピン部３１に対して傾斜するときには、リングＲは、ピン部３１と基部２１の上端縁に接触して角度が規制され、操作部３４との係合が可及的に防止される。例えば、図４に示すように、リングＲの手前側下半部を下方に下げるように傾斜させると、その一部が基部２１の正面側上端縁に接触するとともに、リングＲの背面側上半部がピン部３１の背面側に接触して傾斜角度が決定され、リングＲが操作部３４に係合することはほとんどない。仮に、リングＲの一部が操作部３４の端縁部分に係合したとしても、前述したように、リングＲは、基部２１の正面側上端縁およびピン部３１の背面側にそれぞれ接触して傾斜状態が決定されるため、その傾斜角度を保持して、つまり、操作部３４との係合状態を維持して下方に移動することはできず、操作部３４を引き下げることはできないものである。
【００２９】
このため、リングＲが操作部３４を引き下げ操作することがなく、すなわち、飼い主が意図しないにも関わらず、係留具本体２の開口２ａが開放されることがなく、係留具１からのリングＲの離脱、すなわち、動物が不用意に逃げ出すことを確実に防止することができる。
【００３０】
また、係止ピン３におけるピン部３１の上端面と、フック部２２の先端面とは、傾斜面に形成されて面接触していることにより、リングＲを介してピン部３１がフック部２２から離れる方向、すなわち、開口２ａを形成する方向に引っ張り力を受けたとしても、ピン部３１の倒れをフック部２２と協働して防止することができる。
【００３１】
さらに、基部２１の上端面は傾斜面２１３に形成されてリングＲが傾斜面に沿って滑落することから、操作部３４までの距離が短い位置に留まることがなく、この点でも、操作部３４との係合の機会を減少させることができる。
【図面の簡単な説明】
【００３２】
【図１】本発明の動物用係留具の一実施形態を示す斜視図である。
【図２】図１の動物用係留具の分解斜視図である。
【図３】図１の動物用係留具を構成する係留具本体の縦断面図およびそのＡ−Ａ線断面図である。
【図４】本発明の係留具とリングとの関係を示す正面図である。
【図５】従来の動物用係留具に対するリングの移動に伴う開口の開放要領を説明する斜視図である。
【符号の説明】
【００３３】
１  係留具
２  係留具本体
２１  基部
２１ａ，２１ｂ  ガイド穴
２１ｃ  スリット
２１１  段差部
２１２  ガイド
２２  フック部
３  係止ピン
３１  ピン部
３２  連結部
３４  操作部
４  スプリング
Ｒ  リング
【図１】
2008099630.tif 000003
【図２】
2008099630.tif 000004
【図３】
2008099630.tif 000005
【図４】
2008099630.tif 000006
【図５】
2008099630.tif 000007